(57)【要約】【課題】スキー、スノーボード、橇等滑走体の安定性と操作性を増大させると共に、スパイラル回転滑降その他多様な運動性があり誰もが楽しめ滑走体を提供すること。【解決手段】  滑走体の前方に固着したハンドルにより斜滑降が安定し、強い旋廻力を得るので操作性が著しく向上すると共に転倒が減る。このため初心者や錬度の低い人、或いは老若を問わず高度な滑降技能を体現可能となる。加えて旋廻時には横滑り面により雪面抵抗が減少し、曲面をもつレールを回転の中心とするコマ状のスパイラル回転滑降が可能となる。更にはジャンプでの空中回転運動やスパイラルスノーボート、スパイラル橇での新たなスラローム競技も創出でき、また比較的簡単に雪や氷の側壁を作るだけでスパイラル橇によるトボガン競技その他も可能となる。このようにハンドルと横滑り面とレールのある滑走体を提供することによって、誰もが楽しく乗りこなせ、しかも多様な運動性を創出し雪国の娯楽、健康、経済に貢献しょうとするものである。【選択図】  図１
2005270234.tif 000002
【特許請求の範囲】
【請求項１】
スキー、スノーボード、橇等滑走体の前方に、一端がハンドル５Ｂとなる軸の他端を固着し、その軸の一部に半円状の接地面を有するスキー靴補助具４０を付着して、滑走体の前後端には三方向を上方に折り曲げた形状の横滑り面１０があり、底面にレールのある滑走体。
【発明の詳細な説明】
【技術分野】
【０００１】
スキー、スノーボード、橇等滑走体の改良に関わるものである。
【背景技術】
【０００２】
ゲレンデを自由に滑降したいと思う人は多い。しかし橇は滑降しかできず、スキー、スノーボードは滑降と屈曲ができるだけである。しかもスキーでは高度な技能を要するウエーデルンができるまでには永い年月を要する。このような理由によりゲレンデ人口が減少してきたと言われている。これらの問題を解決するために誰もが乗りこなせ、楽しさと多様な運動性のある滑走体の発明が求められている。
滑走体にハンドルを付けたものは既にあるが、重く大きい物はリフト使用時危険性があり、かつ平坦雪面での移動に難渋し実用性に欠ける。また滑走体からハンドルを外すと重心の位置が移動し滑走体本来の使用が出来ない物も実用性に欠ける。
本発明は軽量なハンドルを滑走体に付けることで操作性を増すと共に、横滑り面とレールの機能によりコマ状の連続回転滑降、或いは今まではスキーの回転競技であったスラロームをスノーボードや橇によっても可能とする等などの多様な運動性を実現し、かつスキー靴補助具により歩行時の利便性を提供するものである。
【発明の開示】
【発明が解決しようとする課題】
【０００３】
誰もが乗りこなせるように安定性と操作性を増し、更にコマ状の連続回転滑降その他多様な運動性のある滑走体を提供すること。
【課題を解決するための手段】
【０００４】
滑走体に付けたハンドルによりエッジの効きが向上し斜滑降の安定と強い旋廻力を得、かつ身体を支えて転倒を減らし、ハンドルの軸の一部には歩行を容易にするスキー靴補助具をバネで付着して、更に滑走体に設けた前後端の横滑り面で旋廻時の雪面抵抗を減らし、曲面のあるレールを回転の中心とするコマ状の連続回転滑降その他の運動を可能にするものである。
【発明の効果】
【０００５】
滑走体に付けたハンドルで転倒を大幅に減らし、また斜滑降の安定と強い旋廻力により操作性が増すので初心者でも容易に高度な滑降技能を体現できる。例えばスキーの場合、斜滑降時のハンドルを握る姿勢は従来のスキーの正しい手の位置、姿勢と言えるので本発明を利用することで自然に正しい滑降技能が身につき上達が早くなる、特にスキー授業で用いれば効果は著しい。また本発明の滑走体をジャンプ台で用いればハンドルと身体のひねりにより連続水平、垂直回転、更にはスキーではその先端が連結されているので空中歩行飛行も可能になる。スキー、スノーボードのハンドルはワンタッチで着脱でき、軽量なので持ち運びに便利である。
ハンドルと横滑り面とレールを付けた滑走体はコマ状のスパイラルな連続回転滑降が出来るので、スパライル滑走体、個々にはスパイラルスキー、スパイラルスノーボート、スパイラル橇と記すことができる。スパイラルスノーボード、スパイラル橇によりウエーデルンが容易になるだけでなく、これらによるスラローム、回転競技も新たに創出することができる。従って誰でも乗りこなせると共に、上級者にとってもよりアグレッスィブな滑降ができる滑走体となる。
スパイラル滑走体からハンドルを外しても重心が変化しないので本来の滑走体として使える。
底が平らなスキー靴で歩くのは滑り易く危険である。この為ヒュッテ内やスノーボーダーがリフトに乗る時転倒事故が起きている。上記のスキー靴補助具は雪面歩行時だけでなく、このような事故防止にも効果がある。このように対象や錬度に応じ、滑走体の種類と特性に応じて楽しく多様性のある運動を実現可能とすることが本発明の思想である。
【発明を実施するための最良の形態】
【０００６】
スパイラル滑走体形成時にハンドル５Ｂの他端を滑走体に固着するのに必要なボルト２Ａ、補強板２Ｂ、固定具２Ｃ等に相当するものの一部を滑走体内に埋設する形態の物。
【実施例１】
【０００７】
図１は本発明のスキーの諸機能とこれに固着するハンドルの状況を示した。スキーに固着した軸３は中空軸４に挿入できるように構成し、両軸間にスプリング３Ｃを設ける。中空軸４に挿入するハンドル軸５との間には軸長調整域４−５を設ける。中空軸４とハンドル軸５は、各々をカバー４Ａと５Ａで内包する。左右のハンドル５Ｂを図４Ｂのように絞ると、左右のスキーを近づけられるので旋廻し易くなる。ハンドルを外した時は図４Ｃのように折り畳み持ち運び易くする。ハンドルは弾性体で被覆して身体接触事故を防ぐ。リフトに乗っている時、スキーの両後端が離れると危険なので、図１の１Ｃのように一方のスキーの一部に固定したスプリングにワイヤーとリングを繋ぎ、そのリングを他方のスキーのフック１Ｃに入れることで両スキーを連結する。この連結は歩行時にも、スパイラル滑降時にも有効性を発揮する。更にスパイラル滑降時には両スキーの後端の交差状態を持続するために交差板１Ｂを設ける。
図２はハンドルとスキーに付着した曲面とエッジをもつレール１Ａの接続概念側面図である。
図３はスキーの横滑り面の状況とスキー、交差板の断面図である。横滑り面のある滑走体は従来の滑走体の前後端に横滑り面の形状の物をネジその他で付着して形成することが出来る。
図５は滑走体にハンドルを後付けで固着する例を示した。滑走体の前方に設けたボルト穴２において補強板２Ｂを介して、ボルト２Ａで滑走体と固定具２Ｃを固定する。固定具２Ｃに接続具２Ｄを挿入し、９０°回転すれば突起部２Ｅが陥入部２Ｆに入ることで接続する。この時、ストッパー２Ｇ内にあるボールがバネにより押し出されて接続具２Ｄのボール陥入部２Ｈに入ることによって固定具と接続具をワンタッチで二重に固着し、かつ着脱しやすいように構成する。  接続具２Ｄ内にはハンドル５Ｂの他端にある回転体３Ａが納められ、これによって滑走体は水平方向に回転できる。また回転軸３Ｂによりハンドルは前後に動く。
図９はスキー靴補助具４０を示した。ハンドルつき滑走体で長い平坦雪面歩行時難渋する場合に用いる。半円或いは幅広な一本足のサンダル状の物をスキー靴で履き回転するようにして歩く。滑走時にはスキー靴補助具４０のバネ穴４０Ａを、カバー４Ａに設けたバネ４Ｃに入れスキー靴補助具固着部４Ｂに付着する。この付着の要領はスノーボード、橇においても同様とする。
【実施例２】
【０００８】
図６において、スノーボード２０の前方の二ヵ所で前後に動けるようにした軸３に、軸の長さを調整できるようにハンドル軸５を接続する。ボードの底面にはレール２０Ａを設け、アイスバーンの時は細いレール、新雪の時は幅の太いレールというように雪面の状態に応じて取り替える。このレールの取替えは橇の場合も同様とする。
【実施例３】
【０００９】
図７において橇３０の前方二ヵ所で前後に動く軸３を軸長調整できるように固着し、これにハンドル５Ｂを設け、座る時には腰を凹型の座席または椅子状の中に入れ、橇の前方に靴のストッパーを設けて靴からの加重操作を可能にし、立つ場合は靴と橇を簡易に固着して操作し易くする。必要に応じ橇前部にフロントカバーを付け、複数人用の橇には後座席の人用に横に取っ手をつける。図７では底面に回転性能を高めるための曲面を有する幅広レールを示した。
図８において橇の斜滑降を安定にするため、底面に曲面のあるレール３０Ａ、側面にレール３０Ｂ、橇とレールにエッジ３０Ｃを設ける。
【産業上の利用可能性】
【００１０】
ゲレンデスポーツの盛衰は雪国の観光産業に大きな影響がある。しかし、従来の橇は単調すぎ、スキー、スノーボードは初心者には難しすぎる。ゲレンデに人を集めるには誰もがすぐに楽しめ、なじみやすい滑走体の創出が必要だ。南国からの外国人でもスパイラル橇を使えばスパイラル滑降やウエーデルンを楽しめる。初心者や年配者でも従来のスキーに本発明のハンドルをつけるだけで容易にウエーデルンができる。若者はスパイラルスキー、スノーボードでスパイラル滑降やジャンプでの回転運動に興味をもつだろう。このように対象に応じ、錬度に応じて多様な楽しみ方ができる滑走体を創出し、観光産業の振興に寄与せんとするものである。
【図面の簡単な説明】
【００１１】
【図１】スパイラルスキーとハンドルの平面図並びにスプリング部分の切開図である。
【図２】スパイラルスキーとハンドルの接続状況の側面概念図である。
【図３】スキー前後端の横滑り面の状況と交差板断面図である。
【図４Ａ】ハンドル正面図である。
【図４Ｂ】ハンドル正面図  絞った状態である。
【図４Ｃ】ハンドル正面図  ハンドルをたたんだ状態である。
【図５】滑走体とハンドルの接続部分の断面図である。
【図６】スパイラルスノーボート平面図である。
【図７】スパイラル橇である。
【図８】スパイラル橇断面図である。
【図９】スキー靴補助具側面図である。
【符号の説明】
【００１２】
１    スキー
１Ａ  レール
１Ｂ  交差板
１Ｃ  連結具
２    ボルト穴
２Ａ  ボルト
２Ｂ  補強板
２Ｃ  固定具
２Ｄ  接続具
２Ｅ  突起部
２Ｆ  陥入部
２Ｇ  ストッパー
２Ｈ  ボール陥入部
３    軸
３Ａ  回転体
３Ｂ  回転軸
３Ｃ  スプリング
４    中空軸
４Ａ  カバー
４Ｂ  スキー靴補助具固着部
４Ｃ  バネ
４−５軸長調整域
５    ハンドル軸
５Ａ  カバー
５Ｂ  ハンドル
１０  横滑り面
２０  スノーボード
２０Ａレール
３０  橇
３０Ａレール
３０Ｂ側面レール
３０Ｃエッジ
４０  スキー靴補助具
４０Ａバネ穴
【図１】
2005270234.tif 000003
【図２】
2005270234.tif 000004
【図３】
2005270234.tif 000005
【図４Ａ】
2005270234.tif 000006
【図４Ｂ】
2005270234.tif 000007
【図４Ｃ】
2005270234.tif 000008
【図５】
2005270234.tif 000009
【図６】
2005270234.tif 000010
【図７】
2005270234.tif 000011
【図８】
2005270234.tif 000012
【図９】
2005270234.tif 000013